(57)【要約】【課題】相手側コネクタとの嵌合時、バネ部材を破損しにくくする。【解決手段】コネクタ用ケージは、相手側コネクタを受け容れる受容部１Ａを有するケージ本体１と、受容部１Ａをケージ本体１の左右方向ＬＲに仕切る仕切部材２と、前後方向ＦＲにおける仕切部材２の前側端部に配置され、相手側コネクタに接触するバネ部材３Ａとを備えている。ケージ本体１を上下方向ＵＤへ貫通する第１の孔が形成されている。バネ部材３Ａは、第１の孔に挿入されてケージ本体１に連結されるバネ部材側突出片を有する。【選択図】図１
2019204622.tif 000002
【特許請求の範囲】
【請求項１】
相手側コネクタを受け容れる受容部を有するケージ本体と、
前記受容部を、前記ケージ本体の前後方向に直交する左右方向に仕切る仕切部材と、
前記前後方向における前記仕切部材の前側端部に配置され、前記相手側コネクタに接触するバネ部材と
を備え、
前記ケージ本体を前記前後方向と前記左右方向との両方に直交する上下方向へ貫通する第１の孔が形成され、
前記バネ部材は、前記第１の孔に挿入されて前記ケージ本体に連結されるバネ部材側突出片を有する
コネクタ用ケージ。
【請求項２】
前記第１の孔から前記ケージ本体の外へ突出した前記バネ部材側突出片の先端部が曲げられている
請求項１に記載のコネクタ用ケージ。
【請求項３】
前記ケージ本体を前記上下方向へ貫通する第２の孔が形成され、
前記仕切部材は、前記第２の孔に挿入されて前記ケージ本体に連結される仕切部材側第１突出片を有する
請求項１又は２に記載のコネクタ用ケージ。
【請求項４】
前記第２の孔から前記ケージ本体の外へ突出した前記仕切部材側第１突出片の先端部が曲げられている
請求項３に記載のコネクタ用ケージ。
【請求項５】
前記仕切部材は、前記バネ部材側突出片とともに前記第１の孔に挿入されて前記ケージ本体に連結される仕切部材側第２突出片を有する
請求項１から４のいずれか１項に記載のコネクタ用ケージ。
【請求項６】
前記仕切部材側第２突出片が前記バネ部材側突出片に重なっている
請求項５に記載のコネクタ用ケージ。
【請求項７】
前記ケージ本体を前記上下方向から見たとき、前記バネ部材側突出片を視認できない
請求項６に記載のコネクタ用ケージ。
【請求項８】
前記ケージ本体は上壁及び下壁を有し、
前記第１の孔と前記第２の孔とが前記上壁及び前記下壁の少なくとも一方に形成されている
請求項３又は４に記載のコネクタ用ケージ。
【請求項９】
前記バネ部材は、前記仕切部材を介して対向する第１バネ片と第２バネ片とを有し、
前記第１バネ片と前記第２バネ片との一方に設けられた前記バネ部材側突出片は前記上下方向における上方へ延び、他方に設けられた前記バネ部材側突出片は前記上下方向における下方へ延びている
請求項１から８のいずれか１項に記載のコネクタ用ケージ。
【請求項１０】
前記第１バネ片と前記第２バネ片とはそれぞれ、
前記相手側コネクタに接触する接触部と、
前記前後方向における前記接触部の後側端部に連なる平面部とを有し、
前記バネ部材側突出片が前記平面部に連なる
請求項９に記載のコネクタ用ケージ。
【請求項１１】
請求項１から１０のいずれか１項に記載のコネクタ用ケージを備えているコネクタ。
【発明の詳細な説明】
【技術分野】
【０００１】
この発明はコネクタ用ケージ及びそれを備えるコネクタに関する。
【背景技術】
【０００２】
従来、図１０に示すコネクタ用ケージが知られている（下記特許文献１参照）。
【０００３】
このコネクタ用ケージにおいては、タブ９８２，９８４を隔壁９６０のスロット９７４に通して折り返すことにより、隔壁９６０にスプリングアッセンブリ９２８を固定している。
【先行技術文献】
【特許文献】
【０００４】
【特許文献１】米国特許９，８３１，６１４
【発明の概要】
【発明が解決しようとする課題】
【０００５】
しかし、図１０に示すコネクタ用ケージには、タブ９８２，９８４が相手側コネクタに向かって折り返されているので、相手側コネクタをコネクタ用ケージに嵌合したとき、相手側コネクタがタブ９８２，９８４の先端部に引っ掛かり、スプリングアッセンブリ９２８が破損するおそれがあるという問題があった。
【０００６】
この発明はこのような事情に鑑みてなされたもので、その課題は、相手側コネクタとの嵌合時、バネ部材を破損しにくくすることである。
【課題を解決するための手段】
【０００７】
上述の課題を解決するため請求項１に記載の発明は、相手側コネクタを受け容れる受容部を有するケージ本体と、前記受容部を、前記ケージ本体の前後方向に直交する左右方向に仕切る仕切部材と、前記前後方向における前記仕切部材の前側端部に配置され、前記相手側コネクタに接触するバネ部材とを備え、前記ケージ本体を前記前後方向と前記左右方向との両方に直交する上下方向へ貫通する第１の孔が形成され、前記バネ部材は、前記第１の孔に挿入されて前記ケージ本体に連結されるバネ部材側突出片を有することを特徴とする。
【０００８】
請求項２に記載の発明は、請求項１に記載のコネクタ用ケージにおいて、前記第１の孔から前記ケージ本体の外へ突出した前記バネ部材側突出片の先端部が曲げられていることを特徴とする。
【０００９】
請求項３に記載の発明は、請求項１又は２に記載のコネクタ用ケージにおいて、前記ケージ本体を前記上下方向へ貫通する第２の孔が形成され、前記仕切部材は、前記第２の孔に挿入されて前記ケージ本体に連結される仕切部材側第１突出片を有することを特徴とする。
【００１０】
請求項４に記載の発明は、請求項３に記載のコネクタ用ケージにおいて、前記第２の孔から前記ケージ本体の外へ突出した前記仕切部材側第１突出片の先端部が曲げられていることを特徴とする。
【００１１】
請求項５に記載の発明は、請求項１から４のいずれか１項に記載のコネクタ用ケージにおいて、前記仕切部材は、前記バネ部材側突出片とともに前記第１の孔に挿入されて前記ケージ本体に連結される仕切部材側第２突出片を有することを特徴とする。
【００１２】
請求項６に記載の発明は、請求項５に記載のコネクタ用ケージにおいて、前記仕切部材側第２突出片が前記バネ部材側突出片に重なっていることを特徴とする。
【００１３】
請求項７に記載の発明は、請求項６に記載のコネクタ用ケージにおいて、前記ケージ本体を前記上下方向から見たとき、前記バネ部材側突出片を視認できないことを特徴とする。
【００１４】
請求項８に記載の発明は、請求項３又は４に記載のコネクタ用ケージにおいて、前記ケージ本体は上壁及び下壁を有し、前記第１の孔と前記第２の孔とが前記上壁及び前記下壁の少なくとも一方に形成されていることを特徴とする。
【００１５】
請求項９に記載の発明は、請求項１から８のいずれか１項に記載のコネクタ用ケージにおいて、前記バネ部材は、前記仕切部材を介して対向する第１バネ片と第２バネ片とを有し、前記第１バネ片と前記第２バネ片との一方に設けられた前記バネ部材側突出片は前記上下方向における上方へ延び、他方に設けられた前記バネ部材側突出片は前記上下方向における下方へ延びていることを特徴とする。
【００１６】
請求項１０に記載の発明は、請求項９に記載のコネクタ用ケージにおいて、前記第１バネ片と前記第２バネ片とはそれぞれ、前記相手側コネクタに接触する接触部と、前記前後方向における前記接触部の後側端部に連なる平面部とを有し、前記バネ部材側突出片が前記平面部に連なることを特徴とする。
【００１７】
請求項１１に記載の発明は、請求項１から１０のいずれか１項に記載のコネクタ用ケージを備えていることを特徴とするコネクタである。
【発明の効果】
【００１８】
この発明は、相手側コネクタとの嵌合時、バネ部材を破損しにくくすることができる。
【図面の簡単な説明】
【００１９】
【図１】この発明の一実施形態に係るコネクタ用ケージの斜視図である。
【図２】図１に示すコネクタ用ケージの側面図である。
【図３】図１に示すコネクタ用ケージのケージ本体の上側ケージ部品の斜視図である。
【図４】図１に示すコネクタ用ケージのケージ本体の下側ケージ部品の斜視図である。
【図５Ａ】図１に示すコネクタ用ケージの仕切部材の斜視図であって、仕切部材側突出片を曲げる前の状態を示す図である。
【図５Ｂ】図１に示すコネクタ用ケージの仕切部材の斜視図であって、仕切部材側突出片を曲げた後の状態を示す図である。
【図６Ａ】図１に示すコネクタ用ケージの仕切部材に装着されるバネ部材の拡大斜視図であって、バネ部材側突出片を曲げる前の状態を示す図である。
【図６Ｂ】図１に示すコネクタ用ケージの仕切部材に装着されるバネ部材の拡大斜視図であって、バネ部材側突出片を曲げた後の状態を示す図である。
【図７Ａ】図６Ａに示すバネ部材の平面図である。
【図７Ｂ】図６Ｂに示すバネ部材の平面図である。
【図８Ａ】図１に示すコネクタ用ケージのケージ本体に装着されるバネ部材の拡大斜視図であって、バネ部材側突出片を曲げる前の状態を示す図である。
【図８Ｂ】図１に示すコネクタ用ケージのケージ本体に装着されるバネ部材の拡大斜視図であって、バネ部材側突出片を曲げた後の状態を示す図である。
【図９Ａ】この発明の他の実施形態に係るコネクタ用ケージの仕切部材に装着されるバネ部材の拡大斜視図である。
【図９Ｂ】図９Ａに示すバネ部材の平面図である。
【図１０】従来のコネクタ用ケージのスプリングアッセンブリが隔壁に固定されている状態を示す斜視図である。
【発明を実施するための形態】
【００２０】
以下この発明の実施の形態を図面に基づいて説明する。
【００２１】
まず図１〜図８に基づいてこの発明の一実施形態に係るコネクタ用ケージを説明する。
【００２２】
図１及び図２に示すように、コネクタ用ケージは、相手側コネクタ２００を受け容れる受容部１Ａを有するケージ本体１と、受容部１Ａを仕切る仕切部材２と、受容部１Ａに挿入された相手側コネクタ２００に接触するバネ部材３Ａ，３Ｂとを備えている。ケージ本体１と仕切部材２とバネ部材３Ａ，３Ｂとはいずれも金属製であり、プレス加工により形成される。
【００２３】
仕切部材２はケージ本体１の左右方向ＬＲに受容部１Ａを仕切る。左右方向ＬＲは、ケージ本体１の前後方向ＦＲと、前後方向ＦＲに直交するケージ本体１の上下方向ＵＤとの両方向に直交する方向である。このコネクタ用ケージに図示しないコンタクト部材が組み込まれることにより、コネクタが構成される。
【００２４】
ケージ本体１は筒状であり、その断面形状は矩形である。ケージ本体１は上側ケージ部品１１と下側ケージ部品１２とで構成される。上側ケージ部品１１と下側ケージ部品１２とで囲まれる空間が受容部１Ａである。
【００２５】
図３に示すように、上側ケージ部品１１は、上面部（上壁）１１１と一対の側面部１１２と背面部１１３とを有する。
【００２６】
上面部１１１は、２つのバネ片１１１Ａと５つの孔１１１Ｂ１〜１１１Ｂ５と２つの開口１１１Ｃと４つの孔１１１Ｄとを有する。
【００２７】
２つのバネ片１１１Ａと２つの開口１１１Ｃとはそれぞれ左右方向ＬＲに並んでいる。バネ片１１１Ａは、上下方向ＵＤにおける下方へ相手側コネクタ２００を押すための片持ち梁状のバネ片である。バネ片１１１Ａは前後方向ＦＲにおける前側から後側へ延びるとともに、上面部１１１に対して斜め下方へ傾いている。
【００２８】
５つの孔１１１Ｂ１〜１１１Ｂ５は前後方向ＦＲに並んでいる。５つの孔１１１Ｂ１〜１１１Ｂ５のうち、孔１１１Ｂ１，１１１Ｂ３〜１１１Ｂ５は、仕切部材側第突出片（仕切部材側第１突出片）２２Ａ，２２Ｃ〜２２Ｅ（図５Ａ参照）が挿入される孔（第２の孔）である。５つの孔１１１Ｂ１〜１１１Ｂ５のうち、孔１１１Ｂ２は、バネ部材側突出片３１Ａ４（図６Ａ参照）が挿入される孔（第１の孔）であり、仕切部材側突出片（仕切部材側第２突出片）２２Ｂも挿入される孔である。
【００２９】
４つの孔１１１Ｄは左右方向ＬＲに並んでいる。４つの孔１１１Ｄはそれぞれ開口１１１Ｃに通じている。孔１１１Ｄは、バネ部材３Ｂのバネ部材側突出片３２Ｂ４（図８Ａ参照）が挿入される孔である。
【００３０】
一対の側面部１１２はそれぞれ上面部１１１に対してほぼ直角に折れ曲がっている。一対の側面部１１２はそれぞれ、１つの連結用突出片１１２Ａと４つの脚部１１２Ｂと２つの孔１１２Ｃと１つの突出部１１２Ｄとを有する。
【００３１】
連結用突出片１１２Ａは側面部１１２の外側へ突出し、斜め上方へ延びる。
【００３２】
４つの脚部１１２Ｂは前後方向ＦＲに並んでいる。４つの脚部１１２Ｂはそれぞれ側面部１１２の下端部から下方へ延び、基板Ｂに実装される。
【００３３】
突出部１１２Ｄは側面部１１２の下端部から下方へ延びる。突出部１１２Ｄは、コネクタ用ケージの組立の際、下側ケージ部品１２の孔１２１Ｃ２に通されてほぼ直角に曲げられる（図２参照）。
【００３４】
２つの孔１１２Ｃは上下方向ＵＤに並んでいる。孔１１２Ｃは、バネ部材３Ｂのバネ部材側突出片３２Ｂ４（図８Ａ参照）が挿入される孔である。
【００３５】
図４に示すように、下側ケージ部品１２は下面部（下壁）１２１と２つの連結用突出片１２２とを有する。
【００３６】
下面部１２１は、３つの孔１２１Ａ１〜１２１Ａ３と４つの孔１２１Ｂと２つの孔１２１Ｃ１と２つの１２１Ｃ２とを有する。
【００３７】
３つの孔１２１Ａ１〜１２１Ａ３は前後方向ＦＲに並んでいる。３つの孔１２１Ａ１〜１２１Ａ３のうち、孔１２１Ａ１は、仕切部材側突出片（仕切部材側第１突出片）２２Ｆ（図５Ａ参照）が挿入される孔（第２の孔）である。３つの孔１２１Ａ１〜１２１Ａ３のうち、孔１２１Ａ２は、バネ部材側突出片３２Ａ４（図６Ａ参照）が挿入される孔（第１の孔）であり、仕切部材側突出片（仕切部材側第２突出片）２２Ｇも挿入される孔である。３つの孔１２１Ａ１〜１２１Ａ３のうち、孔１２１Ａ３は、仕切部材２の脚部２３（図５Ａ参照）が挿入される孔である。
【００３８】
４つの孔１２１Ｂは左右方向ＬＲに並んでいる。４つの孔１２１Ｂはそれぞれ、バネ部材側突出片３２Ｂ４（図８Ａ参照）が挿入される孔である。
【００３９】
孔１２１Ｃ１，１２１Ｃ２は前後方向ＦＲに並んでいる。孔１２１Ｃ１は側面部１１２の脚部１１２Ｂが挿入される孔であり、孔１２１Ｃ２は側面部１１２の突出部１１２Ｄが挿入される孔である。
【００４０】
２つの連結用突出片１２２はそれぞれ下面部１２１に対してほぼ直角に折れ曲がっている。２つの連結用突出片１２２はそれぞれ、上側ケージ部品１１の連結用突出片１１２Ａを受け容れる孔１２２Ａを有する。上側ケージ部品１１の連結用突出片１１２Ａに連結用突出片１２２の孔１２２Ａを引っ掛けることができるので、上側ケージ部品１１と下側ケージ部品１２とを連結することができる。
【００４１】
図５Ａに示すように、仕切部材２は、ほぼ矩形の仕切本体２１と、７つの仕切部材側突出片２２Ａ〜２２Ｇと、基板Ｂに実装される４つの脚部２３とを有する。
【００４２】
７つの仕切部材側突出片２２Ａ〜２２Ｇのうち、仕切部材側突出片２２Ａ〜２２Ｅはそれぞれ仕切本体２１の上端部から上方へ延びている。仕切部材側突出片２２Ａ〜２２Ｅは前後方向ＦＲに並んでいる。
【００４３】
仕切部材側突出片２２Ａは上側ケージ部品１１の孔１１１Ｂ１に、仕切部材側突出片２２Ｂは上側ケージ部品１１の孔１１１Ｂ２に、仕切部材側突出片２２Ｃは上側ケージ部品１１の孔１１１Ｂ３に、仕切部材側突出片２２Ｄは上側ケージ部品１１の孔１１１Ｂ４に、仕切部材側突出片２２Ｅは上側ケージ部品１１の孔１１１Ｂ５に、それぞれ挿入される。
【００４４】
７つの仕切部材側突出片２２Ａ〜２２Ｇのうち、仕切部材側突出片２２Ｆ，２２Ｇはそれぞれ仕切本体２１の下端部から下方へ延びている。仕切部材側突出片２２Ｆ，２２Ｇは前後方向ＦＲに並んでいる。
【００４５】
仕切部材側突出片２２Ｆは下側ケージ部品１２の孔１２１Ａ１に、仕切部材側突出片２２Ｇは下側ケージ部品１２の孔１２１Ａ２に、それぞれ挿入される。
【００４６】
仕切部材側突出片２２Ａ，２２Ｃ，２２Ｅ，２２Ｆの上下方向ＵＤにおける長さは、上側ケージ部品１１の孔１１１Ｂ１〜１１１Ｂ５や下側ケージ部品１２の孔１２１Ａ１〜１２１Ａ３の上下方向ＵＤにおける長さよりわずかに長い。仕切部材側突出片２２Ｂ，２２Ｄ，２２Ｇの上下方向ＵＤにおける長さは、仕切部材側突出片２２Ａ，２２Ｃ，２２Ｅ，２２Ｆの上下方向ＵＤにおける長さより長く、コネクタ用ケージの組立の際、仕切部材側突出片２２Ｂ，２２Ｄは上側ケージ部品１１の孔１１１Ｂ２，１１１Ｂ４に挿入されてほぼ直角に曲げられ（図５Ｂ参照）、仕切部材側突出片２２Ｇは下側ケージ部品１２の孔１２１Ａ２に挿入されてほぼ直角に曲げられる（図５Ｂ参照）。
【００４７】
４つの脚部２３はそれぞれ仕切本体２１の下端部から下方へ延びる。４つの脚部２３は前後方向ＦＲに並んでいる。前後方向ＦＲにおいて４つの脚部２３は仕切部材側突出片２２Ｆ，２２Ｇの後側に位置する。
【００４８】
この実施形態では、図１に示すように、１つのバネ部材３Ａと６つのバネ部材３Ｂとが用いられている。仕切部材２の仕切本体２１の前側端部に１つのバネ部材３Ａが装着されている。上面部１１１の前側端部に２つのバネ部材３Ｂが装着され、一方の側面部１１２の前側端部に１つのバネ部材３Ｂが装着され、他方の側面部１１２の前側端部に１つのバネ部材３Ｂが装着され、下面部１２１の前側端部に２つのバネ部材３Ｂが装着されている。
【００４９】
図６Ａ及び図７Ａに示すように、バネ部材３Ａは第１バネ片３１Ａと第２バネ片３２Ａと連結部３３Ａとを有する。第１バネ片３１Ａと第２バネ片３２Ａとは対向している。連結部３３Ａは第１バネ片３１Ａと第２バネ片３２Ａとを連結する。
【００５０】
第１バネ片３１Ａは、相手側コネクタ２００に接触する湾曲状の接触部３１Ａ１と、接触部３１Ａ１の前側端部に連なる平面部３１Ａ２と、接触部３１Ａ１の後側端部に連なる平面部３１Ａ３と、平面部３１Ａ３の後側端部に連なるバネ部材側突出片３１Ａ４とを有する。接触部３１Ａ１には前後方向ＦＲへ延びる２つの孔３１Ａ５が形成されている。バネ部材側突出片３１Ａ４は上下方向ＵＤにおける上方へ延びる。
【００５１】
第２バネ片３２Ａは、相手側コネクタ２００に接触する湾曲状の接触部３２Ａ１と、接触部３２Ａ１の前側端部に連なる平面部３２Ａ２と、接触部３２Ａ１の後側端部に連なる平面部３２Ａ３と、平面部３２Ａ３の後側端部に連なるバネ部材側突出片３２Ａ４とを有する。接触部３２Ａ１には前後方向ＦＲへ延びる２つの孔（この孔は図６Ａにおいて第１バネ片３１Ａに遮られて見えない。）が形成されている。バネ部材側突出片３２Ａ４は上下方向ＵＤにおける下方へ延びる。
【００５２】
平面部３１Ａ２の前側端部と平面部３２Ａ２の前側端部とは連結部３３Ａを介して連結されており、バネ部材３Ａはクリップ型の板バネとして機能する。
【００５３】
バネ部材側突出片３１Ａ４，３２Ａ４の上下方向ＵＤにおける長さは、上側ケージ部品１１の孔１１１Ｂ２や下側ケージ部品１２の孔１２１Ａ２の上下方向ＵＤにおける長さより長い。コネクタ用ケージの組立の際、バネ部材側突出片３１Ａ４は上側ケージ部品１１の孔１１１Ｂ２に挿入され、孔１１１Ｂ２から突き出たバネ部材側突出片３１Ａ４の先端部はほぼ直角に曲げられ（図６Ｂ及び図７Ｂ参照）、バネ部材側突出片３２Ａ４は下側ケージ部品１２の孔１２１Ａ２に挿入され、孔１２１Ａ２から突き出たバネ部材側突出片３２Ａ４の先端部はほぼ直角に曲げられる（図６Ｂ及び図７Ｂ参照）。
【００５４】
図８Ａに示すように、バネ部材３Ｂは、第１バネ片３１Ｂと第２バネ片３２Ｂと連結部３３Ｂとを有する。第１バネ片３１Ｂと第２バネ片３２Ｂとは対向している。連結部３３Ｂは第１バネ片３１Ｂと第２バネ片３２Ｂとを連結する。
【００５５】
第１バネ片３１Ｂは、筐体Ｃ（図２参照）の開口部の内周面に接触する湾曲状の接触部３１Ｂ１と、接触部３１Ｂ１の前側端部に連なる平面部３１Ｂ２とを有する。接触部３１Ｂ１には前後方向ＦＲへ延びる２つ孔３１Ｂ３が形成されている。
【００５６】
第２バネ片３２Ｂは、相手側コネクタ２００に接触する湾曲状の接触部３２Ｂ１と、接触部３２Ｂ１の前側端部に連なる平面部３２Ｂ２と、接触部３２Ｂ１の後側端部に連なる平面部３２Ｂ３と、平面部３２Ｂ３の後側端部に連なる２つのバネ部材側突出片３２Ｂ４とを有する。接触部３２Ｂ１には前後方向ＦＲへ延びる２つの孔３２Ｂ５が形成されている。２つのバネ部材側突出片３２Ｂ４はそれぞれ平面部３２Ｂ３に対してほぼ直角に曲がっている（図８Ａ参照）。
【００５７】
平面部３１Ｂ２の前側端部と平面部３２Ｂ２の前側端部とは連結部３３Ｂを介して連結されており、バネ部材３Ｂはクリップ型の板バネとして機能する。
【００５８】
次に、コネクタ用ケージの組立について説明する。
【００５９】
まず、ケージ本体１にバネ部材３Ｂを次のように装着する。
【００６０】
上側ケージ部品１１の上面部１１１に２つのバネ部材３Ｂを装着し、受容部１Ａ内からバネ部材側突出片３２Ｂ４を上面部１１１の孔１１１Ｄに挿入するとともに、上側ケージ部品１１の両方の側面部１１２のそれぞれに１つのバネ部材３Ｂを装着し、受容部１Ａ内からバネ部材側突出片３２Ｂ４を側面部１１２の孔１１２Ｃに挿入する。その後、それぞれのバネ部材３Ｂのバネ部材側突出片３２Ｂ４の先端部を前後方向ＦＲにおける前方へ曲げる。
【００６１】
下側ケージ部品１２の下面部１２１に２つのバネ部材３Ｂを装着し、受容部１Ａ内からバネ部材側突出片３２Ｂ４を下面部１２１の孔１２１Ｂに挿入し、それぞれのバネ部材３Ｂのバネ部材側突出片３２Ｂ４を前後方向ＦＲにおける前方へ曲げる。
【００６２】
次に、仕切部材２の仕切本体２１に１つのバネ部材３Ａを装着する。このとき仕切部材２の仕切部材側突出片２２Ｂとバネ部材３Ａのバネ部材側突出片３１Ａ４とは左右方向ＬＲで対向するとともに、仕切部材２の仕切部材側突出片２２Ｇとバネ部材３Ａのバネ部材側突出片３２Ａ４とは左右方向ＬＲで対向する。
【００６３】
その後、仕切部材２の仕切部材側突出片２２Ａ〜２２Ｅを上側ケージ部品１１の上面部１１１の孔１１１Ｂ１〜１１１Ｂ５に挿入し、仕切部材側突出片２２Ｂ，２２Ｄの先端部をそれぞれほぼ直角に曲げる。このとき、仕切部材側突出片２２Ｂがバネ部材側突出片３１Ａ４に重なるように、仕切部材側突出片２２Ｂを曲げる。その結果、仕切部材側突出片２２Ｂとバネ部材側突出片３１Ａ４とが上側ケージ部品１１に連結される。また、仕切部材側突出片２２Ｂの先端部を直角に曲げると、バネ部材３Ａのバネ部材側突出片３１Ａ４の先端部も直角に曲がって、バネ部材側突出片３１Ａ４に仕切部材側突出片２２Ｂの先端部が重なり、バネ部材側突出片３１Ａ４が仕切部材側突出片２２Ｂに覆われるので、上側ケージ部品１１の上面部１１１を上下方向ＵＤにおける上方から見たとき、バネ部材側突出片３１Ａ４を視認できない。
【００６４】
次に、仕切部材２の仕切部材側突出片２２Ｆ，２２Ｇを下側ケージ部品１２の下面部１２１の孔１２１Ａ１，１２１Ａ２に、仕切部材２の脚部２３を下側ケージ部品１２の下面部１２１の孔１２１Ａ３にそれぞれ挿入すると同時に、両方の側面部１１２の脚部１１２Ｂを下面部１２１の孔１２１Ｃ１に、側面部１１２の突出部１１２Ｄを下面部１２１の孔１２１Ｃ２にそれぞれ挿入する。更に、上側ケージ部品１１の連結用突出片１１２Ａに下側ケージ部品１２の連結用突出片１２２の孔１２２Ａを引っ掛け、上側ケージ部品１１と下側ケージ部品１２とを連結する。このとき仕切部材２の仕切部材側突出片２２Ｇとバネ部材３Ａのバネ部材側突出片３２Ａ４とは左右方向ＬＲで対向する。
【００６５】
その後、側面部１１２の突出部１１２Ｄの先端部をほぼ直角に曲げるとともに、仕切部材２の仕切部材側突出片２２Ｇの先端部をほぼ直角に曲げる。このとき、仕切部材側突出片２２Ｇがバネ部材側突出片３２Ａ４に重なるように、仕切部材側突出片２２Ｇを曲げる。その結果、仕切部材側突出片２２Ｇとバネ部材側突出片３２Ａ４とが下側ケージ部品１２に連結される。また、仕切部材側突出片２２Ｇの先端部を直角に曲げると、バネ部材３Ａのバネ部材側突出片３２Ａ４の先端部も直角に曲がって、バネ部材側突出片３２Ａ４に仕切部材側突出片２２Ｇの先端部が重なり、バネ部材側突出片３２Ａ４が仕切部材側突出片２２Ｇに覆われるので、下側ケージ部品１２の下面部１２１を上下方向ＵＤにおける下方から見たとき、バネ部材側突出片３２Ａ４を視認できない。
【００６６】
以上のようにしてコネクタ用ケージの組立が完了する。
【００６７】
コネクタ用ケージが基板Ｂに実装されるとき、ケージ本体１の脚部１１２Ｂや仕切部材２の脚部２３は基板Ｂの図示しないグランドパターンに接続される。
【００６８】
基板Ｂに実装されたコネクタ用ケージは、金属製の筐体Ｃに収容される。コネクタ用ケージは、ケージ本体１の前側部分が筐体Ｃの外部に露出するように、筐体Ｃの開口部に装着される（図２参照）。このときケージ本体１に装着された６つのバネ部材３Ｂの接触部３１Ｂ１が弾性変形し、筐体Ｃの開口部の内周面に接触するので、バネ部材３Ｂを介して筐体Ｃとケージ本体１とが導通する。また、相手側コネクタ２００をコネクタ用ケージに嵌合したとき、ケージ本体１のバネ片１１１Ａと、ケージ本体１に装着された６つのバネ部材３Ｂの接触部３２Ｂ１と、仕切部材２に装着されたバネ部材３Ａの接触部３１Ａ１，３２Ａ１とがそれぞれ弾性変形し、相手側コネクタ２００の外側面に接触するので、バネ部材３Ａ，３Ｂを介して相手側コネクタ２００とケージ本体１とが導通する。
【００６９】
上述のように仕切部材２に装着されたバネ部材３Ａのバネ部材側突出片３１Ａ４は上側ケージ部品１１の上面部１１１の孔１１１Ｂ２に挿入され、バネ部材側突出片３２Ａ４は下側ケージ部品１２の下面部１２１の孔１２１Ａ２に挿入されているので、相手側コネクタ２００をコネクタ用ケージに嵌合したとき、相手側コネクタ２００がバネ部材３Ａのバネ部材側突出片３１Ａ４やバネ部材側突出片３２Ａ４に引っ掛からない。
【００７０】
この実施形態のコネクタ用ケージは、相手側コネクタ２００をコネクタ用ケージに嵌合したとき、相手側コネクタ２００がバネ部材３Ａのバネ部材側突出片３１Ａ４，３２Ａ４に引っ掛からないので、バネ部材３Ａが破損しにくい。
【００７１】
また、バネ部材３Ａのバネ部材側突出片３１Ａ４，３２Ａ４と仕切部材２の仕切部材側突出片２２Ｂ，２２Ｇとをケージ本体１に曲げ加工により連結することができるので、コネクタ用ケージの組立工数を減らすことができる。
【００７２】
更に、上面部１１１の孔１１１Ｂ２にバネ部材側突出片３１Ａ４と仕切部材側突出片２２Ｂとの両方を挿入できるようにし、下面部１２１の孔１２１Ａ２にバネ部材側突出片３２Ａ４と仕切部材側突出片２２Ｇとの両方を挿入できるようにして、ケージ本体１に形成する孔の数を減らしたので、コネクタ用ケージの組立工数を減らすことができるとともに、コネクタ用ケージのケージ本体１の剛性の低下を抑制できる。
【００７３】
また、バネ部材３Ａのバネ部材側突出片３１Ａ４の先端部に仕切部材２の仕切部材側突出片２２Ｂの先端部が重なるとともに、バネ部材３Ａのバネ部材側突出片３２Ａ４の先端部に仕切部材２の仕切部材側突出片２２Ｇの先端部が重なるので、バネ部材側突出片３１Ａ４と仕切部材側突出片２２Ｂとを同時に上側ケージ部品１１の上面部１１１に連結することができるとともに、バネ部材側突出片３２Ａ４と仕切部材側突出片２２Ｇとを同時に下側ケージ部品１２の上面部１２１に連結することができ、コネクタ用ケージの組立コストを削減することができるとともに、バネ部材３Ａの固定強度を高めることができる。
【００７４】
更に、上側ケージ部品１１の上面部１１１を上下方向ＵＤにおける上方から見たとき、バネ部材側突出片３１Ａ４を視認できないとともに、下側ケージ部品１２の下面部１２１を上下方向ＵＤにおける下方から見たとき、バネ部材側突出片３２Ａ４を視認できないので、バネ部材側突出片３１Ａ４，３２Ａ４を外力から保護することができる。
【００７５】
また、第１バネ片３１Ａのバネ部材側突出片３１Ａ４を上側ケージ部品１１の上面部１１１に、第２バネ片３２Ａのバネ部材側突出片３２Ａ４を下側ケージ部品１２の下面部１２１にそれぞれ連結したので、ケージ本体１に対するバネ部材３Ａの固定強度を高めることができる。
【００７６】
更に、第１バネ片３１Ａの平面部３１Ａ３の後側端部から上方へ延びるバネ部材側突出片３１Ａ４が上側ケージ部品１１の上面部１１１に連結され、第２バネ片３２Ａの平面部３２Ａ３の後側端部から下方へ延びるバネ部材側突出片３２Ａ４が下側ケージ部品１２の下面部１２１に連結され、第１バネ片３１Ａと第２バネ片３２Ａとが仕切部材２の仕切本体２１に密着するので、相手側コネクタ２００をコネクタ用ケージに嵌合したときにおける、バネ部材３Ａの破損をより確実に妨げることができる。
【００７７】
なお、上述の実施形態では、受容部１Ａを１つの仕切部材２で仕切ったが、受容部１Ａを複数の仕切部材２で仕切ってもよい。
【００７８】
また、上述の実施形態では、バネ部材側突出片３１Ａ４と仕切部材側突出片２２Ｂとの両方を同じ孔（孔１１１Ｂ２）に挿入し、バネ部材側突出片３２Ａ４と仕切部材側突出片２２Ｇとの両方を同じ孔（孔１２１Ａ２）に挿入したが、バネ部材側突出片３１Ａ４と仕切部材側突出片２２Ｂとをそれぞれ異なる孔に挿入し、バネ部材側突出片３２Ａ４と仕切部材側突出片２２Ｇとをそれぞれ異なる孔に挿入するようにしてもよい。
【００７９】
更に、上述の実施形態では、バネ部材３Ａの第１バネ片３１Ａにバネ部材側突出片３１Ａ４を、第２バネ片３２Ａにバネ部材側突出片３２Ａ４をそれぞれ設けたが、バネ部材３Ａの第１バネ片３１Ａと第２バネ片３２Ａとのいずれか一方だけにバネ部材側突出片を設けてもよい。
【００８０】
また、上述の実施形態では、ケージ本体１を上側ケージ部品１１と下側ケージ部品１２とで構成したが、ケージ本体１を上側ケージ部品１１だけで構成してもよい。
【００８１】
次に、この発明の他の実施形態に係るコネクタ用ケージのバネ部材を図９Ａ及び図９Ｂに基づいて説明する。
【００８２】
上述の実施形態との共通部分については同一符号を付してその説明を省略する。以下、上述の実施形態との主な相違部分についてだけ説明する。
【００８３】
なお、上述の実施形態とこの実施形態とは、仕切部材２に装着されるバネ部材のバネ部材側突出片の形状の点で、異なっている。この相違点を除き、この実施形態の構成は上述の実施形態の構成と同様である。
【００８４】
上述の実施形態では、図６Ａ及び図６Ｂに示すようにバネ部材３Ａのバネ部材側突出片３１Ａ４，３２Ａ４は長いが、この実施形態では、図９Ａ及び図９Ｂに示すようにバネ部材１０３Ａのバネ部材側突出片１３１Ａ４，１３２Ａ４は短い。
【００８５】
第１バネ片１３１Ａのバネ部材側突出片１３１Ａ４を上側ケージ部品１１の上面部１１１の孔１１１Ｂ２に挿入したとき、バネ部材側突出片１３１Ａ４は孔１１１Ｂ２から突き出ないので、コネクタ用ケージの組立の際、バネ部材側突出片１３１Ａ４を曲げる必要がない。第２バネ片１３２Ａのバネ部材側突出片１３２Ａ４を下側ケージ部品１２の下面部１２１の孔１２１Ａ２に挿入したとき、バネ部材側突出片１３２Ａ４は孔１２１Ａ２から突き出ないので、コネクタ用ケージの組立の際、バネ部材側突出片１３２Ａ４を曲げる必要がない。
【００８６】
この実施形態は、上述の実施形態と同様の効果を奏するとともに、コネクタ用ケージの組立の際にバネ部材側突出片１３１Ａ４，１３２Ａ４の曲げ加工が不要になるので、コネクタ用ケージの組立工数を減らすことができる。
【符号の説明】
【００８７】
１  ケージ本体
１Ａ  受容部
１１  上側ケージ部品
１１１  上面部（上壁）
１１１Ａ  バネ片
１１１Ｂ１，１１１Ｂ３〜１１１Ｂ５  孔（第２の孔）
１１１Ｂ２  孔（第１の孔）
１１１Ｃ  開口
１１１Ｄ  孔
１１２  側面部
１１２Ａ  連結用突出片
１１２Ｂ  脚部
１１２Ｃ  孔
１１２Ｄ  突出部
１１３  背面部
１２  下側ケージ部品
１２１  下面部（下壁）
１２１Ａ１  孔（第２の孔）
１２１Ａ２  孔（第１の孔）
１２１Ａ３  孔
１２１Ｂ  孔
１２１Ｃ１，１２１Ｃ２  孔
１２２  連結用突出片
１２２Ａ  孔
２  仕切部材
２１  仕切本体
２２Ａ，２２Ｃ〜２２Ｆ  仕切部材側突出片（仕切部材側第１突出片）
２２Ｂ，２２Ｇ  仕切部材側突出片（仕切部材側第２突出片）
２３  脚部
３Ａ，１０３Ａ  バネ部材
３１Ａ，１３１Ａ  第１バネ片
３１Ａ１  接触部
３１Ａ２  平面部
３１Ａ３  平面部
３１Ａ４，１３１Ａ４  バネ部材側突出片
３１Ａ５  孔
３２Ａ，１３２Ａ  第２バネ片
３２Ａ１  接触部
３２Ａ２  平面部
３２Ａ３  平面部
３２Ａ４，１３２Ａ４  バネ部材側突出片
３３Ａ  連結部
３Ｂ  バネ部材
３１Ｂ  第１バネ片
３１Ｂ１  接触部
３１Ｂ２  平面部
３１Ｂ３  孔
３２Ｂ  第２バネ片
３２Ｂ１  接触部
３２Ｂ２  平面部
３２Ｂ３  平面部
３２Ｂ４  バネ部材側突出片
３２Ｂ５  孔
３３Ｂ  連結部
２００  相手側コネクタ
Ｃ  筐体
Ｂ  基板
ＵＤ  上下方向
ＬＲ  左右方向
ＦＲ  前後方向
【図１】
2019204622.tif 000003
【図２】
2019204622.tif 000004
【図３】
2019204622.tif 000005
【図４】
2019204622.tif 000006
【図５Ａ】
2019204622.tif 000007
【図５Ｂ】
2019204622.tif 000008
【図６Ａ】
2019204622.tif 000009
【図６Ｂ】
2019204622.tif 000010
【図７Ａ】
2019204622.tif 000011
【図７Ｂ】
2019204622.tif 000012
【図８Ａ】
2019204622.tif 000013
【図８Ｂ】
2019204622.tif 000014
【図９Ａ】
2019204622.tif 000015
【図９Ｂ】
2019204622.tif 000016
【図１０】
2019204622.tif 000017